(57)【要約】【課題】特に量産性を維持して外観特性を良好にしたり、小型化を図り易くする。【解決手段】 通し孔２２，２３を周囲に有した雌部材２と、通し孔１２，１３を周囲に有して雌部材２内に摺動自在に嵌合された雄部材１と、雄部材１を雌部材２から突出する方向へ付勢する付勢手段１５とを備えた紐留め具３を対象としている。第１特徴は、雌部材２及び雄部材１をそれぞれ軸線方向に貫通した筒状に形成している構成である。第２特徴は、付勢手段１５は雄部材１の周囲に配置されるコイルばねからなり、一端を雄部材の突出端側に設けられた径大部１１に係止し、他端を雌部材２の内周に設けられた段差部２１に係止している構成である。【選択図】図４
2008178588.tif 000002
【特許請求の範囲】
【請求項１】
通し孔を周囲に有した雌部材と、通し孔を周囲に有して前記雌部材内に摺動自在に嵌合された雄部材と、前記雄部材を前記雌部材から突出する方向へ付勢する付勢手段とを備えた紐留め具において、
前記雌部材及び前記雄部材をそれぞれ軸線方向に貫通した筒状に形成していることを特徴とする紐留め具。
【請求項２】
通し孔を周囲に有した雌部材と、通し孔を周囲に有して前記雌部材内に摺動自在に嵌合された雄部材と、前記雄部材を前記雌部材から突出する方向へ付勢する付勢手段とを備えた紐留め具において、
前記付勢手段は前記雄部材の周囲に配置されるコイルばねからなり、一端を前記雄部材の突出端側に設けられた径大部に係止し、他端を前記雌部材の内周に設けられた段差部に係止していることを特徴とする紐留め具。
【請求項３】
通し孔を周囲に有した雌部材と、通し孔を周囲に有して前記雌部材内に摺動自在に嵌合された雄部材と、前記雄部材を前記雌部材から突出する方向へ付勢する付勢手段とを備えた紐留め具において、
前記雌部材が軸線方向に貫通した筒状に形成されているとともに、該雌部材の両端部のうち、前記雄部材を突出しない側の端部に着脱可能に連結される取付板を有していることを特徴とする紐留め具。
【請求項４】
請求項１から３の何れかに記載の紐留め具において、前記雌部材は前記通し孔より上側内周に突設した複数の係止突起を有し、該係止突起が前記雄部材の前記通し孔に嵌合した状態で該雄部材の抜けを阻止することを特徴とする紐留め具。
【発明の詳細な説明】
【技術分野】
【０００１】
本発明は、例えば、衣服や袋状部材の開口縁回り等に配置される紐（ロープやコードそれら類似にするものを含む、以下、同じ）の両端又は一端を任意の長さに係止したり、紐の引出量や締め付け度合いを調整するために好適な紐留め具に関する。
【背景技術】
【０００２】
図８は紐留め具の２つの従来例を示している。図８（ａ）は特許文献１に開示の紐留め具（コードロック）であり、通し孔４６を周囲に有した雌部材（ハウジング）４１と、通し孔４７を周囲に有して雌部材４１内に嵌合された雄部材（スライダー）４３と、雄部材４３の底面側の小突起４４と雌部材４１の内底面側の小突起４５との間に配置されて雄部材４３を突出方向へ付勢するコイルばね４２とを備えている。この要部は、雌部材４１が底部に突設した雄ねじ４９及び周囲に形成した滑り止め部５０を有し、滑り止め部５０を利用して回転操作することで使用部材の雌ねじ（例えば、カメラの三脚固定用雌ねじ）に雄ねじ４９を介して装着可能にしたものである。
【０００３】
図８（ｂ）は特許文献２に開示の紐留め具（コードロックホルダー）で、通し孔１１を周囲に有した雌部材１０と、通し孔１３を周囲に有して雌部材１０内に嵌合された雄部材１２と、雄部材１２の底面側と雌部材１０の内底面との間に配置されて雄部材１２を突出方向へ付勢する付勢手段１４とを備えている。この要部は、雌部材１０が周囲に縫着片部１５を有し、使用部材に対し縫着片部１５を介して装着可能にしたものである。
【特許文献１】特開２０００−３００３１０号公報
【特許文献２】特開２００５−５８５８３号公報
【発明の開示】
【発明が解決しようとする課題】
【０００４】
上記した各紐留め具は、部材数が少なく、衣服や袋状部材等の使用部材に配置された紐に対し各通し孔を介して係止され、紐の引出量などを簡単に調整できるため簡易かつ使い勝手に優れているが、次のような点から未だ満足できなかった。
【０００５】
（ア）従来構造では、雄部材が略棒状に形成されたり、雌部材が有底筒状に形成されている。これは、雄部材の底面側と雌部材の内底面側との間に付勢手段を配置する上で都合がよいからと思われるが、次の理由で使用ないしは取付方法を制約したり商品価値の低下要因となっている。すなわち、紐留め具は、使用部材に対し取り付けられることなくフリーに配置される態様と、取付手段を介して位置規制されるよう配置される態様とがある。後者では、特許文献１や２に例示されるように、雌部材の外面に雄ねじや縫着片部などが突設されるため形状が複雑となったり大きくなる。また、従来構造では、塵や埃が雌部材内に通し孔から一旦入ると出にくいため次第に溜まり易くなる。これは、雌部材及び雄部材が透明になっていると、衛生上の問題と共に見栄え悪化要因となる。
【０００６】
（イ）従来構造では、付勢手段を雄部材の底面側と雌部材の内底面側との間に配置している関係で、より小型したり軽量化を図りに難かった。これは、例えば、紐を雄部材側通し孔の下縁と雌部材側通し孔の上縁との間に係止した状態において、雌部材の全寸としては雄部材の底面側と雌部材の内底面側との間に付勢手段用の配置空間を確保しなくてはならないためである。
【０００７】
（ウ）従来構造では、使用部材に装着するための取付手段として、特許文献１の雄ねじ、特許文献２の縫着片部、それ以外にも取付帯等を取り付けるスリット構成などが採用されているが、それらは汎用性に欠けるとともに、用途も制約され易かった。
【０００８】
本発明の目的は、以上のような問題を解消して、特に外観特性を良好にしたり、小型化を図り易くし、それにより信頼性の向上と用途拡大に寄与することにある。
【課題を解決するための手段】
【０００９】
請求項１の発明は、上記課題（ア）を解消するもので、通し孔を周囲に有した雌部材と、通し孔を周囲に有して前記雌部材内に摺動自在に嵌合された雄部材と、前記雄部材を前記雌部材から突出する方向へ付勢する付勢手段とを備えた紐留め具において、前記雌部材及び前記雄部材をそれぞれ軸線方向に貫通した筒状に形成していることを特徴としている。
【００１０】
請求項２の発明は、上記課題（イ）を解消するものであり、通し孔を周囲に有した雌部材と、通し孔を周囲に有して前記雌部材内に摺動自在に嵌合された雄部材と、前記雄部材を前記雌部材からへ突出する方向へ付勢する付勢手段とを備えた紐留め具において、前記付勢手段は前記雄部材の周囲に配置されるコイルばねからなり、一端を前記雄部材の突出端側に設けられた径大部に係止し、他端を前記雌部材の内周に設けられた段差部に係止していることを特徴としている。
【００１１】
請求項３の発明は、上記課題（ウ）を解消するものであり、通し孔を周囲に有した雌部材と、通し孔を周囲に有して前記雌部材内に摺動自在に嵌合された雄部材と、前記雄部材を前記雌部材から突出する方向へ付勢する付勢手段とを備えた紐留め具において、前記雌部材が軸線方向に貫通した筒状に形成されているとともに、該雌部材の両端部のうち、前記雄部材を突出しない側の端部に着脱可能に連結される取付板を有していることを特徴としている。
【００１２】
また、以上の各発明において、前記雌部材は前記通し孔より上側内周に突設した複数の係止突起を有し、該係止突起が前記雄部材の前記通し孔に嵌合した状態で該雄部材の抜けを阻止することが好ましい。
【発明の効果】
【００１３】
請求項１の発明では、雄部材及び雌部材が共に軸線方向に貫通されているため、紐留め具の取付方法として、図２（ａ）のごとく雄部材の筒孔と雌部材の筒孔にロープ等の細長い吊下部材Ｎを通し、該吊下部材Ｎの両端部又は一方の端部（例えば、他方の端部を一方の端部に係止した態様）を衣服や袋状部材等の使用部材に係止することも可能となる。また、従来のごとく塵や埃が雌部材の筒内に溜まることがなくなり、それらによって斬新性と使い勝手並び見栄え特性などを向上できる。
【００１４】
請求項２の発明では、付勢手段であるコイルばねを雄部材の周囲に配置したため、従来構造のように雄部材の底面側、つまり雌部材の内底面側との間に確保されていた付勢手段用の配置空間が不要となり、それに応じ全寸をより短くして、より一層の小型化及び軽量化に寄与できる。
【００１５】
請求項３の発明では、衣服や袋状部材等の使用部材に対する取付手段として、雌部材の両端部のうち、雄部材を突出しない端部に着脱可能に連結される取付板を有しているため、従来の取付手段と比較して、取付板の有無を選択できること、使用部材に取付板を予め取り付けておき、後で紐留め具を連結できること、取付板を必要としない態様での外観を維持し易くなる。しかも、この発明では、雌部材が軸線方向に貫通した筒状に形成されているため、取付板に対する着脱、つまり形態例のごとく取付板の係合部に対応する係止部を形成し易く、着脱操作性も良好に行える点でも優れている。
【００１６】
請求項４の発明では、雌部材が係止突起を介して雄部材の抜けを阻止するため、各通し孔に紐を通す前段階でも雌部材及び雄部材の組み付けが維持される。このため、請求項１の場合は、例えば、紐留め具を上記した吊下部材により取付部材に係止するようなときに便利となる。請求項２と３の場合は紐留め具の取扱性を良好に維持可能となる。
【発明を実施するための最良の形態】
【００１７】
本発明の最適な形態を図面を参照しながら説明する。図１と図４は取付板付きの紐留め具を示し、図２と図３は取付板を省いた紐留め具を示し、図５は各紐留め具の使用状態を示し、図６は紐留め具を構成している雄部材単品を示し、図７は紐留め具を構成している雌部材単品を示している。以下の説明では、概要、構造特徴、作用特徴の順で詳述する。
【００１８】
（概要）形態例の紐留め具３は、雄部材１及び雌部材２並びコイルばね１５から構成される態様（後者と特に区別するときは３点構成と称する）と、雄部材１及び雌部材２並びコイルばね１５と取付板１６から構成される態様（前者と特に区別するときは４点構成と称する）とがある。すなわち、３点構成と４点構成の紐留め具３では、取付板１６を構成要素として必須としているか否かで相違し、雄部材１及び雌部材２並びコイルばね１５は同じ部材である。従って、以下の説明では、両者の共通点を説明した後、取付板１６に言及する。
【００１９】
なお、図面上は図２及び図３が３点構成の紐留め具３を図示し、図１及び図４が４点構成構成の紐留め具３を図示している。また、雄部材１及び雌部材２並びに取付板１６は何れもが樹脂成形品であるが、樹脂以外でも差し支えない。コイルばね１５は金属製である。全体の大きさは、作図上拡大しているが、実際はかなり小さくなっている。
【００２０】
（構造特徴）紐留め具３の構成部材のうち、雄部材１は、図２又は図４と図６に示されるように、全体が軸線方向に貫通された筒状をなし、筒部１０の径方向に貫通された状態に設けられている２組（合計４つ）の通し孔１１と、上端（突出端）側周囲に設けられている径大部１２と、下端側周囲に設けられて下に行くほど径小となるテーパー部１３とを一体に有している。
【００２１】
ここで、通し孔１１は、従来と同様に紐を余裕を持って挿通可能な大きさの貫通孔であり、少なくとも１組以上有ればよい。径大部１２は、最大径が雌部材１の外径とほぼ同じに設定されており、筒部１０が雌部材２内に最大まで挿入されたときに雌部材２の外径と略面一状態となる。径大部１２の下端面には凹状の溝部１４が周設されている。溝部１４はコイルばね１５の一端（図では上端）側が収まる箇所となる。
【００２２】
雌部材２は、図２又は図４と図６に示されているように、全体が軸線方向に貫通されている筒状をなし、筒部２０の径方向に貫通された状態に設けられている２組（合計４つ）の通し孔２１と、筒部２０の上端側内周に設けられた段差部２２と、筒部２０の下端側内周に設けられた係止部２３と、筒部２０の内周に突設された複数の係止突起２４とを一体に有している。
【００２３】
ここで、筒部２０は、内径が雄部材側筒部１０を摺動自在に受入可能な大きさである。長さは、雄部材１が筒部２０内に径大部１２を筒部２０の上端面に当たるまで挿入可能な寸法に設定されているが、付勢手段を雄部材の底面側と雌部材の内底面側との間に配置する従来の雌部材に比べて該付勢手段の配置空間だけ小さくなっている。各通し孔２１は、雄部材１の通し孔１１とほぼ同じ大きさの貫通孔である。通し孔２１の数は、２組で構成されているが、通し孔１１と同様少なくとも１組以上有ればよい。
【００２４】
段差部２２は、筒部２０の上端側内周を筒部内径より少し大きな内径に形成したものである。段差部２２の内端面は、コイルばね１５の他端（図では下端）側が受け止められる箇所となる。係止部２３は、筒部２０の下端を内径側に折り曲げた端面に形成されており、縦断面が凸ないしは爪形となっている。この係止部２３は、３点構成の紐留め具３の場合に雌部材２の下端を見栄えよくする下端処理用として作用し、４点構成の紐留め具３の場合に取付板１６を係止する箇所となる。係止突起２４は、筒部２０の内周のうち、段差部２２に接近し、かつ、各通し孔２１の真上にそれぞれ設けられている。このため、各係止突起２４は、合計４つ設けられており、雄部材１が筒部２０内に挿入さた状態で雄部材側の対応する通し孔１１内に突出して、雄部材１が雌部材側筒部２０から不用意に外れないように規制する。
【００２５】
コイルばね１５は、雄部材側筒部１０（径大部１２を除く筒部分）の外径に微細な隙間を持って配置されるもので、コイル径が筒部１０の外径より大きく、かつ雌部材側段差部２２の内径より小さくなっている。
【００２６】
以上のコイルばね１５は、その一端を溝部１４に係止するようにして、雄部材側筒部１０の外径に配置される。その後、雄部材１は、コイルばね１５と共に雌部材２の筒内に差し込まれる。その差込操作では、雄部材１の差込途中で、雌部材側の係止突起２４に対応部が当たるが、例えば雄部材１を傾けることで、各係止突起２４をテーパー部１３から対応する通し孔１１内に嵌合させる。その嵌合により、雄部材１は、雌部材２に組み付けられるとともに、コイルばね１５の付勢力により雌部材２に対し最大（係止突起２４が雄部材側の通し孔１１の孔下部分に係止される）まで突出し、通し孔１１が雌部材側の通し孔２１より上側に移動された状態となる。この組立体は３点構成の紐留め具３である。
【００２７】
また、以上の紐留め具３は、雌部材２に対し取付板１６を着脱可能に取り付けることで４点構成の紐留め具３となる。取付板１６は、円形の溶着用薄板であり、中央部に突設された係合部１７を一体に有している。係合部１７は、縦断面が略コ形状であり、雌部材側係止部２５に着脱可能に係合する。勿論、取付板１６は円形以外の形状でもよく、又、係止部２５との係合形状も任意である。更に、取付板１６は、溶着ではなく、接着や縫製などにより衣服や袋体等の使用部材の被取付部に装着する構成でもよい。
【００２８】
（作用特徴）以上の３点構成の紐留め具３、又は、４点構成の紐留め具は、例えば衣服や袋状部材の開口縁回り等に配置される紐Ｍの両端又は一端を任意の長さに係止したり、Ｍ紐の引出量や締め付け度合いを調整可能にする。すなわち、紐Ｍとの関係では、図５に例示したように、雄部材１をコイルばね１５の付勢力に抗し雌部材２側に押し、雌部材２と雄部材１の両通し孔１１，２１をほぼ合わせた状態から、各紐Ｍの対応端（同じ紐の両端、又は、異なる紐の対応端）を両通し孔１１，２１にそれぞれ挿通させる。その後、雄部材１の押圧力を解放する。すると、雄部材１は雌部材２に対しコイルばね１５の付勢力により突出状態になり、通し孔１１が雌部材側通し孔２１に対し相対的な位置がずれて紐Ｍを所定のテンションにて抜け止め（紐係止状態）することになる。各紐留め具３は、以上の基本作用に加え、次のような従来にない優れた作用効果を有している。
【００２９】
（１）使用部材（衣服や袋状部材等）に対する取付方法として、３点構成の紐留め具３では、雄部材１及び雌部材２が共に軸線方向に貫通されているため、例えば、図２（ａ）に例示したように、雄・雌部材１，２の各筒内に吊下部材Ｎを通し、該吊下部材Ｎの両端部又は一方の端部（例えば、他方の端部を一方の端部に係止した態様）を使用部材に吊り下げ状態に取り付けることができる。なお、４点構成の紐留め具３の場合は、雌部材２から取付板１６を外すことで同様な方法で取り付けることが可能となる。
【００３０】
（２）使用部材に取り付けられた状態において、斬新性及び見栄えを長期に維持できる。これは、従来の紐留め具だと、塵や埃が雌部材内に通し孔から一旦入ると出にくいため次第に溜まり易く、衛生上及び見栄えが悪くなる。これに対し、以上の３点構成の紐留め具３では、雄・雌部材１，２が軸線方向に貫通しているため、従来のように塵や埃が雌部材２内に溜まり難く、仮に筒内に付着しても簡単に取り除くことができる。４点構成の紐留め具３では、雌部材２が取付板１６に対し着脱可能に取り付けられているため、仮に塵や埃が筒内に付着しても、取付板１６から外して３点構成の紐留め具３と同様に簡単に取り除くことができる。
【００３１】
（３）３点構成及び４点構成の各紐留め具３は、従来紐留め具に比べてより小型したり、軽量化でき、それにより用途拡大に寄与できる。これは、コイルばね１５を雄部材側の筒部１０の周囲に配置したため、従来構造における雄部材の底面側と雌部材の内底面側との間の付勢手段用配置空間が不要となるためである。
【００３２】
（４）４点構成の紐留め具３では、雌部材２の端部に着脱可能に連結される取付板１６を有しているため、従来の取付手段と比較して取付操作性を改善でき、また衣服や袋状部材等の使用部材により適した板形状にして外観特性を経費を抑えて向上できる。取付操作性については、例えば、取付板１６を紐留め具３（雌部材２）から外した状態で使用部材側に取付操作し、その後、使用部材側に取り付けられた取付板１６に対し紐留め具３（雌部材２）を係止部２５及び係合部１７の係合を介して取り付けることも可能となるためである。また、外観特性については、例えば、３点構成の紐留め具３を共通使用し、取付板１６だけを使用部材に適した形状及び大きさに変更することで、製造費を抑えて使用部材毎の専用品を作ることができるためである。
【００３３】
なお、以上の形態は本発明を制約するものではない。本発明は、請求項１〜３で特定される技術要素を実質的に備えておればよく、細部は必要に応じて種々変更したり展開可能なものである。
【図面の簡単な説明】
【００３４】
【図１】形態例の紐留め具を示す概略斜視図である。
【図２】（ａ）は上記紐留め具（但し、取付板を省いた紐留め具）の側面図、（ｂ）は（ａ）のＡ−Ａ線断面図である。
【図３】（ａ）は上記紐留め具（但し、取付板を省いた紐留め具）の上面図、（ｂ）は正面図、（ｃ）は下面図である。
【図４】取付板を構成に含めた紐留め具を図２に対応して示し、（ａ）は側面図、（ｂ）は（ａ）のＢ−Ｂ線断面図である。
【図５】上記紐留め具を使用して紐を係止した状態を示し、（ａ）は側面図、（ｂ）は正面図である。
【図６】上記紐留め具の雄部材単品を示し、（ａ）は正面図、（ｂ）は下面図、（ｃ）は側面図である。
【図７】上記紐留め具の雌部材単品を示し、（ａ）は上面図、（ｂ）は正面図、（ｃ）は（ａ）のＣ−Ｃ線断面図である。
【図８】（ａ）と（ｂ）は従来紐留め具の問題を説明するための図である。
【符号の説明】
【００３５】
１…雄部材（１０は筒部、１１は通し孔、１２は径大部）
２…雌部材（２０は筒部、２１は通し孔、２２は段差部）
３…紐留め具
１４…溝部
１５…コイルばね（付勢手段）
１６…取付板（１７は係合部）
２４…係止突起
２５…係止部
Ｍ…紐
Ｎ…吊下部材
【図１】
2008178588.tif 000003
【図２】
2008178588.tif 000004
【図３】
2008178588.tif 000005
【図４】
2008178588.tif 000006
【図５】
2008178588.tif 000007
【図６】
2008178588.tif 000008
【図７】
2008178588.tif 000009
【図８】
2008178588.tif 000010